【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
導電性表面および前記導電性表面の少なくとも一部分に結合している少なくとも１つの活性物質を有する物体を含む製造物品であって、前記導電性表面は、前記少なくとも１つの活性物質と相互作用することができる少なくとも１つの機能的成分が表面に結合している修飾された導電性表面であり、および／または、前記少なくとも１つの活性物質は前記導電性表面に電気化学的に結合され、さらに
（ｉ）前記修飾された導電性表面は、前記少なくとも１つの活性物質と相互作用することができる少なくとも１つの機能的成分が表面に電気的に結合している電気化学的に修飾された導電性表面であり；
（ｉｉ）前記導電性表面は、前記少なくとも１つの活性物質と相互作用することができる少なくとも１つの機能的成分が表面に結合している非電気化学的に修飾された導電性表面であり、前記少なくとも１つの機能的成分は、前記表面に結合される単層の一部分を形成し；および／または
（ｉｉｉ）前記修飾された導電性表面は、前記少なくとも１つの活性物質が表面に電気的に結合している電気化学的に修飾された導電性表面であり、前記少なくとも１つの活性物質は少なくとも１つの電気的に結合可能な基を含む、製造物品。
【請求項２】
前記物体は医療デバイスである、請求項１に記載の製造物品。
【請求項３】
前記少なくとも１つの活性物質は、生物活性剤、ポリマー、生物活性剤が結合しているポリマー、複数のマイクロ粒子および／またはナノ粒子、生物活性剤が結合している複数のマイクロ粒子および／またはナノ粒子、ならびに、これらの任意の組合せからなる群から選択される、請求項１に記載の製造物品。
【請求項４】
前記導電性表面は、少なくとも１つの有機物質を結合することによって修飾される、請求項１に記載の製造物品。
【請求項５】
前記少なくとも１つの有機物質は、前記導電性表面上に自己集合した単層を形成する、請求項４に記載の製造物品。
【請求項６】
前記導電性表面は、電気的結合可能な基および前記活性物質と相互作用することができる前記機能的成分を含む前記少なくとも１つの有機物質を、表面に電気化学的に結合することによって電気化学的に修飾される、請求項１に記載の製造物品。
【請求項７】
前記少なくとも１つの有機物質は、３個〜３０個の炭素原子を有する有機残基をさらに含む、請求項６に記載の製造物品。
【請求項８】
前記導電性表面は、前記活性物質と相互作用することができる前記機能的成分を有する有機シランを含む前記少なくとも１つの有機物質を、表面に付着することによって非電気化学的に修飾される、請求項１に記載の製造物品。
【請求項９】
前記少なくとも１つの活性物質は、前記導電性表面に電気化学的に結合される、請求項１に記載の製造物品。
【請求項１０】
前記導電性表面は、前記活性物質と相互作用することができる少なくとも１つの機能的成分を有する修飾された導電性表面であり、前記少なくとも１つの活性物質は前記修飾された導電性表面に電気化学的に結合される、請求項１に記載の製造物品。
【請求項１１】
前記導電性表面は、少なくとも１つの有機物質を結合することによって修飾される、請求項１０に記載の製造物品。
【請求項１２】
前記少なくとも１つの有機物質は、前記導電性表面上に自己集合した単層を形成する、請求項１１に記載の製造物品。
【請求項１３】
前記導電性表面は、電気的結合可能な基および前記活性物質と相互作用することができる前記機能的成分を有する少なくとも１つの有機物質を、表面に電気化学的に結合することによって修飾される、請求項１０〜１２のいずれかに記載の製造物品。
【請求項１４】
前記導電性表面は、前記活性物質と相互作用することができる前記機能的成分を有する有機シランを表面に結合することによって修飾される、請求項１０〜１２のいずれかに記載の製造物品。
【請求項１５】
前記活性物質は電解重合ポリマーである、請求項１０に記載の製造物品。
【請求項１６】
前記電解重合ポリマーは、それに結合した生物活性剤を含む、請求項１５に記載の製造物品。
【請求項１７】
前記電解重合ポリマーは、ポリピロール、ポリチオフェン、ポリ−ｐ−フェニレン、ポリ−ｐ−フェニレンスルフィド、ポリアニリン、ポリ（２，５−チエニレン）、フルオロアルミニウム、フルオロガリウム、フタロシアニン、その誘導体およびこれらの任意の組合せからなる群から選択される、請求項１５に記載の製造物品。
【請求項１８】
前記電解重合ポリマーは、吸収され、膨潤されまたはそれに埋め込まれた生物活性剤を含む、請求項１５に記載の製造物品。
【請求項１９】
導電性表面および前記導電性表面の少なくとも一部分に結合している少なくとも１つの有機物質の自己集合した単層を有する物体を含む、製造物品。
【請求項２０】
前記有機物質は電気的結合可能な基を含み、前記自己集合した単層は前記導電性表面上に電気化学的に形成される、請求項１９に記載の製造物品。
【請求項２１】
前記有機物質は有機シランであり、前記自己集合した単層は前記導電性表面上に非電気化学的に形成される、請求項１９に記載の製造物品。
【請求項２２】
前記有機物質は、３個〜３０個の炭素原子を有する有機残基をさらに含む、請求項２０に記載の製造物品。
【請求項２３】
前記有機物質は脂肪酸である、請求項２２に記載の製造物品。
【請求項２４】
前記有機物質は、少なくとも１つの活性物質と相互作用することができる少なくとも１つの官能基をさらに含む、請求項１９に記載の製造物品。
【請求項２５】
前記脂肪酸は、少なくとも１つの活性物質と相互作用することができる少なくとも１つの官能基によって誘導体化される、請求項２３に記載の製造物品。
【請求項２６】
導電性表面および前記導電性表面の少なくとも一部分に結合している少なくとも１つの活性物質を有する物体を調製するプロセスであって、このプロセスは、
前記導電性表面を有する前記物体を提供すること；
前記導電性表面を修飾し、それにより、前記少なくとも１つの活性物質と相互作用することができる少なくとも１つの機能性成分を表面に結合した導電性表面を有する物体を提供し；および、
前記活性物質と、前記少なくとも１つの機能的成分が表面に結合している前記導電性表面とを接触させることを含み、
前記導電性表面を修飾することは、
（ｉ）前記少なくとも１つの活性物質と相互作用することができる少なくとも１つの機能的成分を前記導電性表面に電気化学的に結合させること；および／または
（ｉｉ）前記少なくとも１つの活性物質と相互作用することができる少なくとも１つの機能的成分を前記導電性表面に非電気化学的に結合させ、それにより前記表面に結合している前記少なくとも１つの機能的成分を含む単層を形成すること
によって行われる、プロセス。
【請求項２７】
前記修飾することは、前記導電性表面に、前記活性物質と相互作用することができる機能的成分を含む少なくとも１つの有機物質を結合することによって行われる、請求項２６に記載のプロセス。
【請求項２８】
前記修飾することは、前記導電性表面に、電気的結合可能な基および前記活性物質と相互作用することができる機能的成分を含む少なくとも１つの有機物質を電気化学的に結合することによって行われる、請求項２７に記載のプロセス。
【請求項２９】
導電性表面および前記導電性表面の少なくとも一部分に結合している少なくとも１つの活性物質を有する物体を調製するプロセスであって、このプロセスは、
前記導電性表面を有する前記物体を提供すること；および、
電気的結合可能な基を有する少なくとも１つの活性物質を前記導電性表面に電気化学的に結合することを含む、プロセス。
【請求項３０】
前記電気化学的に結合することの前に、前記導電性表面を修飾し、それにより、前記少なくとも１つの活性物質と相互作用することができる少なくとも１つの機能的成分を有する導電性表面を有する物体を提供することをさらに含む、請求項２９に記載のプロセス。
【請求項３１】
前記修飾することは、前記導電性表面を電気化学的に修飾することを含む、請求項３０に記載のプロセス。
【請求項３２】
前記活性物質は電解重合ポリマーである、請求項２９に記載のプロセス。
【請求項３３】
活性物質を表面に結合されたデバイスを埋め込むことが有益である医学的状態の治療のための埋め込み可能デバイスの製造における、導電性表面および前記導電性表面の少なくとも一部分に結合している少なくとも１つの活性物質を有する物体の使用であって、前記導電性表面は、前記少なくとも１つの活性物質と相互作用することができる少なくとも１つの機能的成分が表面に結合している修飾された導電性表面であり、および／または、前記少なくとも１つの活性物質は前記導電性表面に電気化学的に結合され、さらに
（ｉ）前記修飾された導電性表面は、前記少なくとも１つの活性物質と相互作用することができる少なくとも１つの機能的成分が表面に電気的に結合している電気化学的に修飾された導電性表面であり；
（ｉｉ）前記導電性表面は、前記少なくとも１つの活性物質と相互作用することができる少なくとも１つの機能的成分が表面に結合している非電気化学的に修飾された導電性表面であり、前記少なくとも１つの機能的成分は、前記表面に結合される単層の一部分を形成し；および／または
（ｉｉｉ）前記修飾された導電性表面は、前記少なくとも１つの活性物質が表面に電気的に結合している電気化学的に修飾された導電性表面であり、前記少なくとも１つの活性物質は少なくとも１つの電気的に結合可能な基を含む、使用。
【請求項３４】
前記医学的状態は、心臓血管疾患、アテローム性動脈硬化、血栓症、狭窄症、再狭窄、心臓学的疾患、末梢血管疾患、整形外科的状態、増殖性疾患、感染性疾患、移植関連疾患、変性疾患、脳血管疾患、胃腸疾患、肝臓疾患、神経学的疾患、自己免疫疾患およびインプラント関連疾患からなる群から選択される、請求項３３に記載の使用。
【請求項３５】
前記少なくとも１つの活性物質は、生物活性剤、ポリマー、生物活性剤が結合しているポリマー、複数のマイクロ粒子および／またはナノ粒子、生物活性剤が結合している複数のマイクロ粒子および／またはナノ粒子、ならびに、これらの任意の組合せからなる群から選択され、前記生物活性剤、前記ポリマー、前記マイクロ粒子および／または前記ナノ粒子は少なくとも１つの電気的結合可能な基を含む、請求項３３に記載の使用。
【請求項３６】
導電性表面を有する少なくとも１つの医療デバイスを被覆するためのシステムであって、このシステムは、稼動可能な配置において、前記少なくとも１つの医療デバイスを保持するための少なくとも１つの保持デバイス、運搬装置、および前記運搬装置に沿って配置された第１および第２の浴を含み、前記運搬装置は、前記少なくとも１つの保持デバイスが、所定の期間、所定の順序で前記第１および第２の浴のそれぞれの中に置かれるように、前記少なくとも１つの保持デバイスを運搬するように設計および構築され、さらに、前記第１の浴は修飾用の浴であり、かつ、前記第２の浴は活性物質溶液の浴である、システム。
【請求項３７】
前記運搬装置に沿って配置された少なくとも１つのさらなる浴をさらに含み、前記運搬装置は、所定の期間、前記少なくとも１つのさらなる処理浴の中に前記少なくとも１つの保持デバイスを置くように設計および構築されている、請求項３６に記載のシステム。
【請求項３８】
前記少なくとも１つの保持デバイスがカートリッジ本体に固定されることを可能にするために適合したカートリッジ本体を有するカートリッジをさらに含む、請求項３６に記載のシステム。